【手続補正書】
【提出日】令和3年9月13日(2021.9.13)
【手続補正１】
【補正対象書類名】特許請求の範囲
【補正対象項目名】全文
【補正方法】変更
【補正の内容】
【特許請求の範囲】
【請求項１】
・近位側創傷対向面と遠位面とを備える創傷接触層であって、前記近位側創傷対向面が創傷と接触して位置付けられるように構成される創傷接触層と、
・前記創傷接触層の上の少なくとも一つの吸収層と、
・電子ユニット（１５０）であって、
−陰圧源（１０７２）と、入口保護機構（１７１０）と、出口または排気機構（１０７４）と、を備える陰圧源ユニットと、
−プリント回路基板上に位置付けられる複数のセンサと、
を備え、
−前記入口保護機構が、前記プリント回路基板上の第一センサと流体連通するように構成された第一凹部を備え、前記出口または排気機構が、前記プリント回路基板上の第二センサと流体連通するように構成された第二凹部を備え、
−少なくとも一つの前記吸収層が、前記電子ユニットと流体連通するように構成された、電子ユニットと、
・前記創傷接触層、少なくとも一つの前記吸収層、および前記電子ユニットを覆い、それらの上でシールを形成するよう構成されたカバー層と、
を備える創傷被覆材装置。
【請求項２】
前記第一凹部が、前記第一センサの上に位置付けられ、
前記第一凹部の周辺部が、前記入口保護機構の前記第一凹部の前記周辺部を、前記第一センサを囲む前記プリント回路基板に密封するよう構成された第一ガスケットを備える、請求項１に記載の創傷被覆材装置。
【請求項３】
前記第二凹部が、前記第二センサの上に位置付けられ、
前記第二凹部の周辺部が、前記出口または排気機構の前記第二凹部の前記周辺部を、前記第二センサを囲む前記プリント回路基板に密封するよう構成された第二ガスケットを備える、請求項１に記載の創傷被覆材装置。
【請求項４】
前記出口または排気機構が、少なくとも一つのベント開口部を備え、
前記プリント回路基板が、前記プリント回路基板内に少なくとも一つの通気孔を備え、
前記出口または排気機構の少なくとも一つのベント開口部が、前記プリント回路基板の少なくとも一つの前記通気孔と流体連通するように構成される、請求項１〜３のいずれかに記載の創傷被覆材装置。
【請求項５】
第二ガスケットが、前記プリント回路基板の少なくとも一つの前記通気孔のうちの通気孔と前記出口または排気機構の少なくとも一つの前記ベント開口部のうちのベント開口部との間で、前記第二ガスケットを通って、流体連通を提供するよう構成された開口部を含む、請求項４に記載の創傷被覆材装置。
【請求項６】
前記出口または排気機構の少なくとも一つの前記ベント開口部が、抗菌膜および／または逆止弁を備える、請求項４または５に記載の創傷被覆材装置。
【請求項７】
前記カバー層が、少なくとも一つの前記ベント開口部の上に開口部を備える、請求項４〜６のいずれかに記載の創傷被覆材装置。
【請求項８】
前記電子ユニットが、一以上の電源を備える、請求項１〜７に記載のいずれかに記載の創傷被覆材装置。
【請求項９】
少なくとも一つの前記吸収層が、前記電子ユニットを受けるように構成される一以上の凹部を備える、請求項１〜８のいずれかに記載の創傷被覆材装置。
【請求項１０】
近位側創傷対向面と遠位面とを備える透過層をさらに備え、
前記透過層が、前記創傷接触層の前記遠位面の上に位置付けられる、請求項１〜９のいずれかに記載の創傷被覆材装置。
【請求項１１】
少なくとも一つの前記吸収層が、
近位側創傷対向面と遠位面とを備える第一吸収層であって、前記透過層の前記遠位面上に位置付けられた、第一吸収層と、
近位側創傷対向面と遠位面とを備える第二吸収層であって、前記第一吸収層の前記遠位面上に位置付けられた、第二吸収層と、
を備える、請求項１０に記載の創傷被覆材装置。
【請求項１２】
近位側創傷対向面および遠位面を備えるオーバーレイ層をさらに備え、
前記オーバーレイ層が、前記第二吸収層の前記遠位面の上に位置付けられ、
前記オーバーレイ層が、前記透過層および前記第一および第二吸収層の周辺部よりも大きな周辺部を備える、請求項１１に記載の創傷被覆材装置。
【請求項１３】
前記電子ユニットがスイッチを備える、請求項１〜１２のいずれかに記載の創傷被覆材装置。
【請求項１４】
前記電子ユニットが、光またはＬＥＤインジケータを備える、請求項１〜１３のいずれかに記載の創傷被覆材装置。
【手続補正２】
【補正対象書類名】明細書
【補正対象項目名】０１０４
【補正方法】変更
【補正の内容】
【０１０４】
本開示に記載する実装に対するさまざまな変形は、当業者には容易に明らかとなってもよく、本明細書に定義する全体的な原理は、本開示の精神または範囲を逸脱することなく、他の実装に適用され得る。それゆえ、開示は、本明細書に示す実装に限定することは意図していないが、本明細書に記載する原理および特徴と一致する、最も広い範囲が与えられるべきである。開示の特定の実施形態は、以下に列挙する、または後に提示する請求項の組に網羅される。
［付記項１］
創傷被覆材装置であって、
創傷に面する近位面と遠位面とを備える創傷接触層であって、前記創傷に面する近位面が創傷と接触して位置付けられるように構成される創傷接触層と、
前記創傷接触層の上の少なくとも一つの吸収層と、
電子ユニットであって、
陰圧源と、入口保護機構と、出口または排気機構とを備える陰圧源ユニットと、
プリント回路基板上に位置付けられる複数のセンサと、を備え、
前記入口保護機構が、前記プリント回路基板上の第一センサと流体連通するように構成された第一凹部を備え、前記出口または排気機構が、前記プリント回路基板上の第二センサと流体連通するように構成された第二凹部を備え、
前記少なくとも一つの吸収層が、前記電子ユニットと流体連通するように構成された電子ユニットと、
前記創傷接触層、前記少なくとも一つの吸収層、および前記電子ユニットを覆い、それらの上でシールを形成するよう構成されたカバー層と、を備える創傷被覆材装置。
［付記項２］
前記第一凹部が前記第一センサの上に位置付けられ、前記第一凹部の周辺部が、前記入口保護機構の前記第一凹部の前記周辺部を、前記第一センサを囲む前記プリント回路基板に密封するよう構成された第一ガスケットを備える、付記項１に記載の創傷被覆材装置。
［付記項３］
前記第二凹部が前記第二センサの上に位置付けられ、前記第二凹部の周辺部が、前記出口または排気機構の前記第二凹部の前記周辺部を、前記第二センサを囲む前記プリント回路基板に密封するよう構成された第二ガスケットを備える、付記項１に記載の創傷被覆材装置。
［付記項４］
前記出口または排気機構が少なくとも一つのベント開口部を備え、前記プリント回路基板が、前記プリント回路基板内に少なくとも一つの通気孔を備え、前記出口または排気機構の少なくとも一つのベント開口部が、前記プリント回路基板の前記少なくとも一つの通気孔と流体連通するように構成される、付記項１〜３のいずれかに記載の創傷被覆材装置。
［付記項５］
前記第二ガスケットが、前記プリント回路基板の前記少なくとも一つの通気孔のうちの通気孔と前記出口または排気機構の前記少なくとも一つのベント開口部のうちのベント開口部との間で、前記第二ガスケットを通って、流体連通を提供するよう構成された開口部を含む、付記項４に記載の創傷被覆材装置。
［付記項６］
前記出口または排気機構の前記少なくとも一つのベント開口部が、抗菌膜および／または逆止弁を備える、付記項４および５のいずれかに記載の創傷被覆材装置。
［付記項７］
前記カバー層が、前記少なくとも一つのベント開口部の上に開口部を備える、付記項４〜６のいずれかに記載の創傷被覆材装置。
［付記項８］
前記電子ユニットが一つまたは複数の電源を備える、付記項１〜７に記載のいずれかに記載の創傷被覆材装置。
［付記項９］
前記少なくとも一つの吸収層が、前記電子ユニットを受けるように構成される一つまたは複数の凹部を備える、付記項１〜８のいずれかに記載の創傷被覆材装置。
［付記項１０］
創傷に面する近位面と遠位面とを備える透過層をさらに備え、前記透過層が前記創傷接
触層の前記遠位面の上に位置付けられる、付記項１〜９のいずれかに記載の創傷被覆材装置。
［付記項１１］
前記少なくとも一つの吸収層が、
創傷に面する近位面と遠位面とを備える第一吸収層であって、前記透過層の前記遠位面上に位置付けられた第一吸収層と、
創傷に面する近位面と遠位面とを備える第二吸収層であって、前記第一吸収層の前記遠位面上に位置付けられた第二吸収層と、を備える、付記項１０に記載の創傷被覆材装置。
［付記項１２］
創傷に面する近位面および遠位面を備えるオーバーレイ層であって、前記第二吸収層の前記遠位面のうえに位置付けられるオーバーレイ層をさらに備え、前記オーバーレイ層が、前記透過層および前記第一および第二吸収層の周辺部よりも大きな周辺部を備える、付記項１１に記載の創傷被覆材装置。
［付記項１３］
前記電子ユニットがスイッチを備える、付記項１〜１２のいずれかに記載の創傷被覆材装置。
［付記項１４］
前記電子ユニットが、光またはＬＥＤインジケータを備える、付記項１〜１３のいずれかに記載の創傷被覆材装置。
［付記項１５］
付記項１〜１４のいずれかに記載の創傷被覆材装置を使用または操作する方法。
［付記項１６］
前述の説明に記載された一つまたは複数の特徴を有する創傷被覆材装置。
［付記項１７］
前述の説明に記載された一つまたは複数の特徴を含む創傷被覆材装置を使用または操作する方法。